(57)【要約】  カメラモジュール２０による撮影で取得されたＪＰＥＧ画像データに、当該撮影に伴うカメラモジュール２０の撮影情報と、本体ユニットの撮影情報を記憶するために確保された所定の情報領域と、Ｅｘｉｆ規格に準拠した形式で付帯させて本体ユニットに出力し、本体ユニットでは、出力された画像データを記憶部１６に記憶させるとともに当該画像データに付帯された所定の情報領域に当該撮影に伴う本体ユニットの撮影情報を記憶させる。【特許請求の範囲】
【請求項１】
撮影手段、この撮影手段により取得された画像データを処理する第１の制御手段を有するカメラモジュールと、前記カメラモジュールから出力された画像データを処理する第２の制御手段を有する本体ユニットと、を備え、
前記カメラモジュールと本体ユニットとの相互間において、前記撮影手段による撮影に伴う撮影情報を相互に転送し、前記画像データの処理を行うように構成したことを特徴とする撮像装置。
【請求項２】
内蔵する撮影手段により取得された画像データを処理する第１の制御手段を含むカメラモジュールと、このカメラモジュールから出力された画像データを記憶手段に記憶させる第２の制御手段を含む本体ユニットと、を備えた撮像装置において、
前記第１の制御手段は、前記撮影手段による撮影で取得された画像データと当該撮影に伴うカメラモジュールの撮影情報とを前記本体ユニットに出力し、
前記第２の制御手段は、前記出力された画像データに前記出力されたカメラモジュール撮影情報と前記撮影に伴う本体ユニットの撮影情報とを所定の形式で付帯させて前記記憶手段に記憶させることを特徴とする撮像装置。
【請求項３】
前記所定の形式は、Ｅｘｉｆ規格に準拠した形式であることを特徴とする請求の範第２項に記載の撮像装置。
【請求項４】
内蔵する撮影手段により取得された画像データを処理する第１の制御手段を含むカメラモジュールと、このカメラモジュールから出力された画像データを記憶手段に記憶させる第２の制御手段を含む本体ユニットと、を備えた撮像装置において、
前記第２の制御手段は、前記本体ユニットの撮影情報を前記カメラモジュールに出力し、
前記第１の制御手段は、前記撮影手段による撮影で取得された画像データに、前記出力された本体ユニット撮影情報と当該撮影に伴うカメラモジュールの撮影情報とを所定の形式で付帯させて前記本体ユニットに出力し、
前記第２の制御手段は、前記出力された画像データを前記記憶手段に記憶させることを特徴とする撮像装置。
【請求項５】
前記第２の制御手段は、前記撮影に伴って変動しない固定的な前記本体ユニット撮影情報を予め前記カメラモジュールに出力し、前記撮影に伴って変動する動的な前記本体ユニット撮影情報を前記撮影手段による撮影時に前記カメラモジュールに出力することを特徴とする請求の範囲第４項に記載の撮像装置。
【請求項６】
前記所定の形式は、Ｅｘｉｆ規格に準拠した形式であることを特徴とする請求の範囲第４項に記載の撮像装置。
【請求項７】
内蔵する撮影手段により取得された画像データを処理する第１の制御手段を含むカメラモジュールと、このカメラモジュールから出力された画像データを記憶手段に記憶させる第２の制御手段を含む本体ユニットと、を備えた撮像装置において、
前記第１の制御手段は、前記撮影手段による撮影で取得された画像データに、当該撮影に伴うカメラモジュールの撮影情報と前記本体ユニットの撮影情報を記憶するために確保した所定の情報領域とを所定の形式で付帯させて前記本体ユニットに出力し、
前記第２の制御手段は、前記出力された画像データを前記記憶手段に記憶させるとともに当該画像データに付帯された所定の情報領域に当該撮影に伴う本体ユニットの撮影情報を記憶させることを特徴とする撮像装置。
【請求項８】
前記所定の形式は、Ｅｘｉｆ規格に準拠した形式であることを特徴とする請求の範囲第７項に記載の撮像装置。
【発明の詳細な説明】
【技術分野】
【０００１】
本発明は、被写体を撮影して撮影画像データを出力する撮像装置に関する。
【背景技術】
【０００２】
近年、デジタルカメラ等の撮像装置は、いつでも簡易に撮像を行うことができる点が評価されて一般に広く普及している。このような撮像装置で出力される画像データは、Ｅｘｉｆ（Exchangeable Image File Format）規格に準拠した形式で生成されることが多くあり、この規格の画像データのヘッダ部には、撮影時の露出時間、シャッタースピード、輝度、撮影日時等の動的な撮影情報や、撮像装置のメーカ名、モデル名等の固定的な撮影情報等が付帯されて記憶されているため、ユーザはこの撮影情報により画像データ撮影時の詳細な撮影情報を知ることが可能となっている。従来、このＥｘｉｆ形式で付帯された情報に任意の情報を記憶させる撮像装置が提案されている（例えば、特許文献１参照）。【０００３】
また、上記したような撮像装置は、被写体を撮像して画像データを出力するカメラモジュールと、この出力された画像データの記録及び表示等を行う撮像装置本体（以下、本体ユニットという。）とに大別することが可能であり、カメラモジュール側で撮影された撮影画像データに撮影時のＥｘｉｆ情報を付帯させて、本体ユニットに出力を行うという構成が考えられている。このような構成にすることにより、カメラモジュールを一つのモジュールとして取り扱うことができるため、接続する本体ユニットの形態によらず汎用的に適用することが可能となり、撮像装置製造工程において利便性を向上することができる。
【特許文献１】特開２００３−２２４７５０号公報
【発明の開示】
【０００４】
しかしながら、上記したカメラモジュールと本体ユニットとから構成される撮像装置では、カメラモジュール側と本体ユニット側とに撮影情報が分散して存在する可能性があるため、撮影に係る全ての撮影情報をＥｘｉｆ情報として提供できないという問題が発生する可能性がある。例えば、撮影日時を計時する計時手段が本体ユニットに存在しているような場合では、カメラモジュール側では計時手段を備えていないため、撮影画像データの生成日時等の日時情報をＥｘｉｆ情報として付帯させることがでない。また、特許文献１に記載の撮像装置では、上記したカメラモジュールと本体ユニットとから構成される撮像装置には適用することできないため、上記課題を解決することができない。
【０００５】
本発明の課題は、カメラモジュールと本体ユニットとで撮影情報が分散して存在していても、撮影に伴う全ての撮影情報を提供することが可能な撮像装置を提供することである。
【発明を実施するための最良の形態】
【０００６】
上記課題を解決するために、本発明は以下のような構成によって達成される。
（１）  撮影手段、この撮影手段により取得された画像データを処理する第１の制御手段を有するカメラモジュールと、前記カメラモジュールから出力された画像データを処理する第２の制御手段を有する本体ユニットと、を備え、
前記カメラモジュールと本体ユニットとの相互間において、前記撮影手段による撮影に伴う撮影情報を相互に転送し、前記画像データの処理を行うように構成したことを特徴としている。【０００７】
ここで、「撮影情報」とは、ユーザから撮影を行う指示が入力された際の撮影条件や撮影環境等を示す情報であって、例えば、画像データの生成日時、露出時間、Ｆ値、シャッタースピード、絞り、撮像装置のメーカ名、モデル名等を意味している。【０００８】
（２）  内蔵する撮影手段により取得された画像データを処理する第１の制御手段を含むカメラモジュールと、このカメラモジュールから出力された画像データを記憶手段に記憶させる第２の制御手段を含む本体ユニットと、を備えた撮像装置において、
前記第１の制御手段は、前記撮影手段による撮影で取得された画像データと当該撮影に伴うカメラモジュールの撮影情報とを前記本体ユニットに出力し、
前記第２の制御手段は、前記出力された画像データに前記出力されたカメラモジュール撮影情報と前記撮影に伴う本体ユニットの撮影情報とを所定の形式で付帯させて前記記憶手段に記憶させることを特徴としている。【０００９】
（３）  前記（２）において、前記所定の形式は、Ｅｘｉｆ規格に準拠した形式であることを特徴としている。【００１０】
（４）  内蔵する撮影手段により取得された画像データを処理する第１の制御手段を含むカメラモジュールと、このカメラモジュールから出力された画像データを記憶手段に記憶させる第２の制御手段を含む本体ユニットと、を備えた撮像装置において、
前記第２の制御手段は、前記本体ユニットの撮影情報を前記カメラモジュールに出力し、
前記第１の制御手段は、前記撮影手段による撮影で取得された画像データに、前記出力された本体ユニット撮影情報と当該撮影に伴うカメラモジュールの撮影情報とを所定の形式で付帯させて前記本体ユニットに出力し、
前記第２の制御手段は、前記出力された画像データを前記記憶手段に記憶させることを特徴としている。【００１１】
（５）  前記（４）において、
前記第２の制御手段は、前記撮影に伴って変動しない固定的な前記本体ユニット撮影情報を予め前記カメラモジュールに出力し、前記撮影に伴って変動する動的な前記本体ユニット撮影情報を前記撮影手段による撮影時に前記カメラモジュールに出力することを特徴としている。【００１２】
ここで、「固定的な撮影情報とは」、撮影に伴って変動しないような撮影情報であって、例えば、撮像装置のメーカ名、モデル名等を意味している。また、「動的な撮影情報」とは、撮影に伴って変動する撮影情報であって、例えば、画像データの生成日時、露出時間、Ｆ値、シャッタースピード、絞り等を意味している。【００１３】
（６）  前記（４）において、
前記所定の形式は、Ｅｘｉｆ規格に準拠した形式であることを特徴としている。【００１４】
（７）  内蔵する撮影手段により取得された画像データを処理する第１の制御手段を含むカメラモジュールと、このカメラモジュールから出力された画像データを記憶手段に記憶させる第２の制御手段を含む本体ユニットと、を備えた撮像装置において、
前記第１の制御手段は、前記撮影手段による撮影で取得された画像データに、当該撮影に伴うカメラモジュールの撮影情報と前記本体ユニットの撮影情報を記憶するために確保した所定の情報領域とを所定の形式で付帯させて前記本体ユニットに出力し、
前記第２の制御手段は、前記出力された画像データを前記記憶手段に記憶させるとともに当該画像データに付帯された所定の情報領域に当該撮影に伴う本体ユニットの撮影情報を記憶させることを特徴としている。【００１５】
（８）  前記（７）において、
前記所定の形式は、Ｅｘｉｆ規格に準拠した形式であることを特徴としている。
【図面の簡単な説明】
【００１６】
【図１】図１は携帯電話機の機能的構成を模式的に示すブロック図である。
【図２】図２はカメラモジュールの機能的構成を模式的に示すブロック図である。
【図３】図３は実施例１の撮影処理を説明するためのフローチャートである。
【図４】図４は実施例２の撮影処理を説明するためのフローチャートである。
【図５】図５は実施例３の撮影処理を説明するためのフローチャートである。
【図６】図６は実施例４の撮影処理を説明するためのフローチャートである。
【実施例】
【００１７】
以下、本発明の撮像装置を、カメラ機能を有した撮像装置付き携帯電話機１０に適用した実施例を、図１〜図６を参照して詳細に説明する。【００１８】
図１に携帯電話機１０の機能的構成を示す。図１に示すように、携帯電話機１０は、メインＣＰＵ（Central Processing Unit）１１、表示部１２、入力部１３、ＲＡＭ（Random Access Memory）１４、通信制御部１５、記憶部１６、音声入出力部１７、電源部１８、カメラモジュール２０等を備えて構成され、各部はバス１９により接続されている。ここで、カメラモジュール２０が本発明の実施例に記載のカメラモジュールであり、携帯電話機１０からカメラモジュール２０を除いたものが本発明の実施例に記載の本体ユニットである（以下、携帯電話機１０からカメラモジュール２０を除いたものを本体ユニットという）。【００１９】
メインＣＰＵ１１は、記憶部１６に記憶されているシステムプログラムを読み出し、ＲＡＭ１４内に形成されたワークメモリに展開し、該システムプログラムに従って各部を制御する。また、メインＣＰＵ１１は、記憶部１６に記憶されている各種処理プログラムやメールソフト等のアプリケーションプログラムを読み出してワークメモリに展開し、各種処理を実行し、それらの処理結果をＲＡＭ１４内のワークメモリに記憶すると共に表示部１２に表示させる。そして、ワークメモリに格納した処理結果を記憶部１６内の指定の保存先に記憶させる。【００２０】
メインＣＰＵ１１は、本体ユニット内の各部から撮影に伴う撮影情報の取得を行う。ここで、「撮影情報」とは、ユーザから撮影を行う指示が入力された際の撮影条件や撮影環境等を示す情報であって、例えば、画像データの生成日時、露出時間、Ｆ値、シャッタースピード、絞り値、撮像装置のメーカ名、モデル名等を意味している。なお、本実施例のように、カメラモジュール２０と本体ユニットとを有した構成としたため、撮影情報が分散して存在しており、例えば、カメラモジュール２０では、上記した撮影情報のうち、露出時間、Ｆ値、シャッタースピード、絞り値等を有することとなり、本体ユニットでは、上記した撮影情報のうち、画像データの生成日時、撮像装置のメーカ名、モデル名等を有することとなる。【００２１】
メインＣＰＵ１１は、被写体の撮影時にカメラモジュール２０から出力されるＪＰＥＧ画像データとカメラモジュール撮影情報とを受信すると、このＪＰＥＧ画像データにカメラモジュール撮影情報と、この撮影時の本体ユニットの撮影情報とをＥｘｉｆ規格に準拠した形式で付帯させてＥｘｉｆ画像データを生成する。【００２２】
メインＣＰＵ１１は、カメラモジュール２０を起動させる際に、本体ユニットの撮影情報をカメラモジュール２０に出力する。また、メインＣＰＵ１１は、カメラモジュール２０を起動させる際に、カメラモジュール２０の撮影に伴って変動しないような固定的な撮影情報を出力し、撮影に伴って変動するような動的な撮影情報を、カメラモジュール２０による撮影開始直前に出力する。【００２３】
なお、ここで、「固定的な撮影情報とは」、撮影に伴って変動しないような撮影情報であって、例えば、撮像装置のメーカ名、モデル名等を意味している。また、「動的な撮影情報」とは、撮影に伴って変動する撮影情報であって、例えば、画像データの生成日時、露出時間、Ｆ値、シャッタースピード、絞り等を意味している。【００２４】
メインＣＰＵ１１は、カメラモジュール２０から出力されたＥｘｉｆ画像データを記憶部１６に記憶させるとともに当該Ｅｘｉｆ画像データに付帯された所定の情報領域に撮影に伴う本体ユニットの撮影情報を記憶させる。【００２５】
また、メインＣＰＵ１１は、記憶部１６に記憶されたＥｘｉｆ画像データを表示部１２に表示させる。【００２６】
表示部１２は、ＬＣＤ（Liquid Crystal Display）パネル等により構成され、メインＣＰＵ１１から入力される表示データに基づいて画面表示を行う。【００２７】
入力部１３は、カーソルキー、文字／数字キー、各種機能キー等を有し、そのキー操作による押下信号をメインＣＰＵ１１に出力する。【００２８】
ＲＡＭ１４は、バッファとして各種プログラムや処理中のデータ、処理結果などを一時的に記憶するワークエリアを形成する。【００２９】
通信制御部１５は、不図示のアンテナを含む無線通信部で構成され、メインＣＰＵ１１から入力される指示に従って、無線基地局を介して通信ネットワークＮ上の各機器と各種情報を送受信する。【００３０】
記憶部１６は、フラッシュメモリなどの不揮発メモリ等により構成され、携帯電話機１０に対応するシステムプログラム、及び該システムプログラム上で実行可能な各種処理プログラム、アプリケーションプログラム及びこれらのプログラムで処理されたデータ等を記録する。【００３１】
また、記憶部１６は、カメラモジュール２０から出力されたＪＰＥＧ画像データ又はＥｘｉｆ画像データを記憶する。【００３２】
音声入出力部１７は、マイク、スピーカ、増幅器、Ａ／Ｄ変換部、及びＤ／Ａ変換部等を有し、マイクから入力されるユーザの音声信号をデジタル音声情報に変換し、その音声情報をメインＣＰＵ１１に出力するとともに、受話中にメインＣＰＵ１１から入力される音声情報や、着信音、操作確認音等の音声情報をアナログの音声信号に変換して増幅し、スピーカから出力する。【００３３】
電源部１８は、電源用回路や充電池等により構成され、メインＣＰＵ１１から入力される指示に基づいて、携帯電話機１０が有する各機能部への電源供給を行う。【００３４】
カメラモジュール２０は、図２に示すように、撮影光学系２０１、ＣＣＤ２０２、Ａ／Ｄ回路２０３、信号処理回路２０４、画像生成部２０５、画像出力Ｉ／Ｆ２０６、アクチュエータ２０７、記憶部２０８、電源回路２０９、サブＣＰＵ２１０、シリアル通信Ｉ／Ｆ２１１等から構成されている。【００３５】
撮影光学系２０１は、被写体の光画像を結像させるものであり、被写体に合焦させるためのフォーカスレンズ（不図示）等を有して構成されている。【００３６】
ＣＣＤ２０２は、撮影光学系２０１によって受光面上に結像された被写体像を電気信号に変換して、アナログの画像データとしてＡ／Ｄ回路２０３に出力する。なお、本実施例では、ＣＣＤを用いることとしたが、これに限らず、ＣＭＯＳ（Complementary Metal Oxide Semiconductor）センサ等であってもよい。【００３７】
Ａ／Ｄ回路２０３は、ＣＣＤ２０２から出力されたアナログ画像データをデジタルの画像データに変換し、信号処理回路２０４に出力する。信号処理回路２０４は、Ａ／Ｄ回路２０３から出力された画像データに対して、例えば、ＹＵＶデータに変換、ガンマ補正、ホワイトバランス補正等の処理を施して画像生成部２０５に出力する。【００３８】
画像生成部２０５は、信号処理回路２０４から出力された画像データに対しＪＰＥＧ方式に準拠した圧縮方式で圧縮処理を施して生成されたＪＰＥＧ画像データを画像出力Ｉ／Ｆ２０６に出力する。また、サブＣＰＵ２１０の制御に応じて、ＪＰＥＧ画像データのヘッダ部に撮影情報をＥｘｉｆ規格に準拠した形式で付帯させたＥｘｉｆ画像データを生成し、画像出力Ｉ／Ｆ２０６に出力する。【００３９】
なお、本実施例では、ＪＰＥＧ方式に準拠した画像データを生成することとしたが、これに限らず、ＴＩＦＦ（Tag Image File Format）等他の方式に準拠した画像データを生成することとしてもよい。また、本実施例では、撮影情報をＥｘｉｆ規格に準拠した形式で付帯させるとしたが、これに限らず、他の規格に準拠した形式であってもよい。【００４０】
画像出力Ｉ／Ｆ２０６は、画像生成部２０５から出力されるＪＰＥＧ画像データ又はＥｘｉｆ画像データをメインＣＰＵ１１に出力するためのインターフェイスであり、一方向の高速なバスによってメインＣＰＵ１１と接続されている。【００４１】
アクチュエータ２０７は、不図示のフォーカスモータと、フォーカスドライバ等を有しており、フォーカスドライバは、サブＣＰＵ２１０から入力される制御信号に応じて、フォーカスモータを駆動して、撮影光学系２０１のフォーカスレンズを光軸方向に駆動させる。【００４２】
記憶部２０８は、フラッシュメモリなどの不揮発メモリ等により構成され、カメラモジュール２０の各部の制御に必要なプログラムコード及び各種制御パラメータが記憶されている。【００４３】
また、記憶部２０８は、メインＣＰＵ１１から出力される本体ユニットの撮影情報を記憶し、Ｅｘｉｆ画像データ生成の際に記憶された本体ユニット撮影情報がサブＣＰＵ２１０により取得される。【００４４】
電源回路２０９は、図１に示した電源部１８から供給される電力の電圧調整等を行い、サブＣＰＵ２１０の制御に応じて、カメラモジュール２０の各部位に電力供給を行う。【００４５】
サブＣＰＵ２１０は、記憶部２０８に記憶されたプログラムコードに従ってカメラモジュール２０の各部の制御を行うとともに、シリアル通信Ｉ／Ｆ２１５を介してメインＣＰＵ１１から出力される制御信号に基づいてカメラモジュール２０の各部の制御を行う。【００４６】
また、サブＣＰＵ２１０は、カメラモジュール２０内の各部から撮影に伴う撮影情報を取得して、このカメラモジュール撮影情報をシリアル通信Ｉ／Ｆ２１１を介してメインＣＰＵ１１に出力又は画像生成部２０５で生成されたＪＰＥＧ画像データのヘッダ部にＥｘｉｆ規格に準拠した形式で付帯させる。【００４７】
シリアル通信Ｉ／Ｆ２１１は、サブＣＰＵ２１０とメインＣＰＵ１１とを接続するためのシリアル通信インターフェイスであって、サブＣＰＵ２１０から入力される各種信号をメインＣＰＵ１１に出力するとともに、メインＣＰＵ１１から入力される制御信号をサブＣＰＵ２１０に出力する。【００４８】
次に、本実施例の動作を実施例１から実施例４に分けて説明する。
実施例１
図３を参照して、実施例１における動作を説明する。実施例１で行われるＡ１１〜Ａ１５の処理はメインＣＰＵ１１により行われ、Ｂ１１〜Ｂ１３の処理はサブＣＰＵ２１０により行われる。【００４９】
実施例１では、カメラモジュール２０から撮影により取得されたＪＰＥＧ画像データとその撮影に伴うカメラモジュール撮影情報とを本体ユニットに出力し、本体ユニット側で、出力されたＪＰＥＧ画像データに、カメラモジュール撮影情報と撮影時の本体ユニットの撮影情報とを付帯させたＥｘｉｆ画像データを生成する例を示す。【００５０】
まず、メインＣＰＵ１１から撮影開始を指示する信号がシリアル通信Ｉ／Ｆ２１１を介してサブＣＰＵ２１０に出力される（ステップＡ１１）。【００５１】
一方、サブＣＰＵ２１０は、撮影開始信号を受信すると、撮影光学系２０１を通じてＣＣＤ０２にて取り込まれた画像データがＡ／Ｄ回路２０３及び信号処理回路２０４で信号処理され、画像生成部２０５でＪＰＥＧ画像データとして生成される（ステップＢ１１）。【００５２】
次いで、生成されたＪＰＥＧ画像データが、画像出力Ｉ／Ｆ２０６を介してメインＣＰＵ１１に出力されるとともに（ステップＢ１２）、この撮影に伴うカメラモジュール２０の撮影情報がシリアル通信Ｉ／Ｆ２１１を介してメインＣＰＵに出力されて（ステップＢ１３）、カメラモジュール側の処理は終了する。なお、ここでカメラモジュール撮影情報は、シリアル通信Ｉ／Ｆ２１１を介して出力されるとしたが、これに限らず、画像出力Ｉ／Ｆ２０６を介して出力されることとしてもよい。【００５３】
一方、本体ユニット側では、カメラモジュール２０から出力されたＪＰＥＧ画像とカメラモジュール撮影情報とを受信すると（ステップＡ１２、Ａ１３）、このＪＰＥＧ画像データのヘッダ部にカメラモジュール撮影情報と、この本体ユニットの撮影情報が付帯されてＥｘｉｆ画像データとして生成され（ステップＡ１４）、このＥｘｉｆ画像データが記憶部１６に記憶されて（ステップＡ１５）、本体ユニット側の処理は終了する。【００５４】
以上のように、実施例１の携帯電話機１０によれば、カメラモジュール２０と本体ユニットとで撮影情報が分散して存在しているような場合であっても、カメラモジュール２０側から、カメラモジュール２０の撮影情報をＪＰＥＧ画像データとともに本体ユニットに出力し、この出力されたＪＰＥＧ画像データにカメラモジュール撮影情報と本体ユニットの撮影情報とをＥｘｉｆ規格に準拠した形式で付帯させて記憶を行うため、撮影に伴う全ての撮影情報を提供することが可能となる。【００５５】
実施例２
図４を参照して、実施例２における動作を説明する。実施例２で行われるＣ１１〜Ｃ１５の処理はメインＣＰＵ１１により行われ、Ｄ１１〜Ｄ１６の処理はサブＣＰＵ２１０により行われる。なお、実施例２では、携帯電話機１０は、図１の点線枠で示した時刻計時を行う計時部３０を備えることとし、カメラモジュール２０は、図２の点線枠で示したカウントを行うタイマ部２１２を備えることとする。【００５６】
実施例２では、カメラモジュール２０の起動時に、本体ユニットから本体ユニットの撮影情報（時刻情報）を出力し、カメラモジュール２０では、撮影により取得されたＪＰＥＧ画像データに、カメラモジュール撮影情報と、本体ユニットから出力された時刻情報に基づいてカウントした値とを付帯させてＥｘｉｆ画像データを生成し、このＥｘｉｆ画像データを本体ユニットに出力する例を示す。【００５７】
まず、メインＣＰＵ１１からカメラモジュール２０の起動を指示する信号がシリアル通信Ｉ／Ｆ２１１を介してサブＣＰＵ２１０に出力される（ステップＣ１１）。【００５８】
サブＣＰＵ２１０では、カメラモジュール起動信号が受信されると、カメラモジュール２０の各部を起動させた後、起動処理完了の旨の信号がシリアル通信Ｉ／Ｆ２１１を介してメインＣＰＵ１１に出力される（ステップＤ１１）。【００５９】
メインＣＰＵ１１では、起動処理完了の旨の信号が受信されると、計時部３０から現在時刻情報が取得され、この時刻情報が本体ユニット撮影情報としてシリアル通信Ｉ／Ｆ２１１を介してサブＣＰＵ２１０に出力される（ステップＣ１２）。【００６０】
サブＣＰＵ２１０では、時刻情報が受信されると（ステップＤ１２）、この時刻情報がタイマ部２１２に設定されて、時刻情報に基づいた時刻カウントが行われる（ステップＤ１３）。【００６１】
この状態で、メインＣＰＵ１１から撮影開始を指示する信号がシリアル通信Ｉ／Ｆ２１１を介してサブＣＰＵ２１０に出力されると（ステップＣ１３）、サブＣＰＵ２１０は、撮影開始信号を受け、撮影光学系２０１を通じてＣＣＤ０２にて取り込まれた画像データがＡ／Ｄ回路２０３及び信号処理回路２０４で信号処理され、画像生成部２０５でＪＰＥＧ画像データとして生成される（ステップＤ１４）。【００６２】
次いで、タイマ部から、時刻カウント値が取得されて、ステップＤ１４で生成されたＪＰＥＧ画像データのヘッダ部にカメラモジュール２０の撮影情報と、時刻カウント値と、がＥｘｉｆ規格に準拠した形式で付帯されてＥｘｉｆ画像データとして生成され（ステップＤ１５）、このＥｘｉｆ画像データがシリアル通信Ｉ／Ｆ２１１を介してメインＣＰＵ１１に出力されて（ステップＤ１６）、カメラモジュール側の処理は終了する。【００６３】
一方、メインＣＰＵ１１では、Ｅｘｉｆ画像データが受信されると（ステップＣ１４）、このＥｘｉｆ画像データが記憶部１６に記憶されて（ステップＣ１５）、本体ユニット側の処理は終了する。【００６４】
以上のように、実施例２の携帯電話機１０によれば、カメラモジュール２０と本体ユニットとで撮影情報が分散して存在しているような場合であっても、本体ユニットの撮影情報をカメラモジュール２０に出力して、カメラモジュール２０側で、この出力された本体ユニット撮影情報をカメラモジュール２０の撮影情報とともにＪＰＥＧ画像データにＥｘｉｆ規格に準拠した形式で付帯させ、このＥｘｉｆ画像データを本体ユニットが記憶することができるため、撮影に伴う全ての撮影情報を提供することが可能となる。【００６５】
実施例３
図５を参照して、実施例３における動作を説明する。実施例３で行われるＥ１１〜Ｅ１５の処理はメインＣＰＵ１１により行われ、Ｆ１１〜Ｆ１６の処理はサブＣＰＵ２１０により行われる。なお、実施例３では、携帯電話機１０は、図１の点線枠で示した時刻計時を行う計時部３０を備えることとする。【００６６】
実施例３では、カメラモジュール２０の起動時に、本体ユニットから本体ユニットの固定的な撮影情報をカメラモジュール２０に出力し、撮影を行う際に、本体ユニットから本体ユニットの動的な撮影情報をカメラモジュール２０に出力し、カメラモジュール２０では、撮影により取得されたＪＰＥＧ画像データに、カメラモジュール撮影情報と、本体ユニットから出力された撮影情報と、を付帯させてＥｘｉｆ画像データを生成し、このＥｘｉｆ画像データを本体ユニットに出力する例を示す。【００６７】
まず、メインＣＰＵ１１からカメラモジュール２０の起動を指示する信号がシリアル通信Ｉ／Ｆ２１１を介してサブＣＰＵ２１０に出力される（ステップＥ１１）。【００６８】
サブＣＰＵ２１０では、カメラモジュール起動信号が受信されると、カメラモジュール２０の各部を起動させた後、起動処理完了の旨の信号がシリアル通信Ｉ／Ｆ２１１を介してメインＣＰＵ１１に出力される（ステップＦ１１）。【００６９】
メインＣＰＵ１１では、起動処理完了の旨の信号が受信されると、カメラモジュール２０による撮影で変動しないような固定的な本体ユニットの撮影情報（以下，本体ユニット固定情報という）が、シリアル通信Ｉ／Ｆ２１１を介してサブＣＰＵ２１０に出力される（ステップＥ１２）。【００７０】
サブＣＰＵ２１０では、本体ユニット固定情報が受信されると（ステップＦ１２）、この本体ユニット固定情報が記憶部２０８に記憶される（ステップＦ１３）。【００７１】
この状態で、ユーザから入力部１３を介して撮影を行う指示信号が入力されると、メインＣＰＵ１１から本体ユニットの動的な撮影情報（以下、本体ユニット動的情報という）がシリアル通信Ｉ／Ｆ２１１を介してサブＣＰＵ２１０に出力されて（ステップＥ１３）、さらに、撮影開始を指示する信号がシリアル通信Ｉ／Ｆ２１１を介してサブＣＰＵ２１０に出力される（ステップＥ１４）。なお、本実施例3では、撮影開始信号が出力される直前に本体ユニット動的情報が出力されることとしたが、これに限らず、撮影開始信号が出力された直後に本体ユニット動的情報が出力されることとしてもよい。【００７２】
一方、サブＣＰＵ２１０では、本体ユニット動的情報が受信されると、この本体ユニット動的情報が記憶部２０８に記憶され（ステップＦ１４）、さらに、撮影開始信号が受信されると、撮影光学系２０１を通じてＣＣＤ０２にて取り込まれた画像データがＡ／Ｄ回路２０３及び信号処理回路２０４で信号処理され、画像生成部２０５でＪＰＥＧ画像データとして生成される（ステップＦ１５）。【００７３】
次いで、記憶部２０８から、本体ユニット固定情報及び本体ユニット動的情報が取得されて、ステップＦ１４で生成されたＪＰＥＧ画像データのヘッダ部にカメラモジュール２０の撮影情報と、本体ユニット固定情報と、本体ユニット動的情報と、がＥｘｉｆ規格に準拠した形式で付帯されてＥｘｉｆ画像データとして生成され（ステップＦ１６）、このＥｘｉｆ画像データがシリアル通信Ｉ／Ｆ２１１を介してメインＣＰＵ１１に出力されて（ステップＦ１７）、カメラモジュール側の処理は終了する。【００７４】
一方、メインＣＰＵ１１では、Ｅｘｉｆ画像データが受信されると（ステップＥ１５）、このＥｘｉｆ画像データが記憶部１６に記憶されて（ステップＥ１６）、本体ユニット側の処理は終了する。【００７５】
以上のように、実施例３の携帯電話機１０によれば、カメラモジュール２０と本体ユニットとで撮影情報が分散して存在しているような場合であっても、本体ユニットの撮影情報をカメラモジュール２０に出力して、カメラモジュール２０側で、この出力された本体ユニット撮影情報をカメラモジュール２０の撮影情報とともにＪＰＥＧ画像データにＥｘｉｆ規格に準拠した形式で付帯させ、このＥｘｉｆ画像データを本体ユニットが記憶することができるため、撮影に伴う全ての撮影情報を提供することが可能となる。【００７６】
また、撮影に伴って変動しない固定的な本体ユニット撮影情報を予め前記カメラモジュールに出力し、撮影に伴って変動する動的な本体ユニット撮影情報を撮影手段による撮影時にカメラモジュール２０に出力する。このことにより、撮影に伴って変動する動的な本体ユニット撮影情報を撮影時毎にカメラモジュール２０に出力することができるため、本体ユニットの撮影時の撮影情報を画像データに付帯させることができる。【００７７】
実施例４
図６を参照して、実施例４における動作を説明する。実施例４で行われるＧ１１〜Ｇ１４の処理はメインＣＰＵ１１により行われ、Ｈ１１〜Ｈ１３の処理はサブＣＰＵ２１０により行われる。【００７８】
実施例４では、カメラモジュール２０による撮影で取得されたＪＰＥＧ画像データに、当該撮影に伴うカメラモジュール２０の撮影情報と、本体ユニットの撮影情報を記憶するために確保された所定の情報領域と、を所定の形式で付帯させて本体ユニットに出力し、本体ユニットでは、出力された画像データを記憶部１６に記憶させるとともに当該画像データに付帯された所定の情報領域に当該撮影に伴う本体ユニットの撮影情報を記憶させる例を示す。【００７９】
まず、メインＣＰＵ１１から撮影開始を指示する信号がシリアル通信Ｉ／Ｆ２１１を介してサブＣＰＵ２１０に出力される（ステップＧ１１）。【００８０】
一方、サブＣＰＵ２１０では、撮影開始信号が受信されると、撮影光学系２０１を通じてＣＣＤ０２にて取り込まれた画像データがＡ／Ｄ回路２０３及び信号処理回路２０４で信号処理され、画像生成部２０５でＪＰＥＧ画像データとして生成される（ステップＨ１１）。【００８１】
次いで、生成されたＪＰＥＧ画像データのヘッダ部にカメラモジュール２０の撮影情報とがＥｘｉｆ規格に準拠した形式で付帯されるとともに、この付帯情報に、本体ユニットの撮影情報を記憶するための所定の情報領域が確保されてＥｘｉｆ画像データとして生成され（ステップＨ１２）、このＥｘｉｆ画像データが、シリアル通信Ｉ／Ｆ２１１を介してメインＣＰＵに出力されて（ステップＨ１３）、カメラモジュール側の処理は終了する。【００８２】
ここで、Ｅｘｉｆ規格に準拠した画像形式では、タグと呼ばれる複数の情報領域それぞれに対応した撮影情報が記憶されることになるため、本実施例のように本体ユニットの撮影情報を記憶するための所定の情報領域が確保しておかないと、タグと撮影情報との整合性を保てなくなる可能性がある。そのため、ステップＨ１２では、例えば、ダミーのデータ等を本体ユニットの撮影情報を記憶するための所定の情報領域に記憶したりすることにより情報領域の確保を行うこととする。【００８３】
一方、メインＣＰＵ１１では、Ｅｘｉｆ画像データが受信されると（ステップＧ１２）、Ｅｘｉｆ画像データを記憶部１６に記憶させるとともに当該Ｅｘｉｆ画像データに付帯された所定の情報領域に当該撮影に伴う本体ユニットの撮影情報を記憶させて（ステップＧ１３、１４）、本体ユニット側の処理は終了する。【００８４】
以上のように、実施例４の携帯電話機１０によれば、カメラモジュール２０と本体ユニットとで撮影情報が分散して存在しているような場合であっても、カメラモジュール２０の撮影情報と前記本体ユニットの撮影情報を記憶するために確保した所定の情報領域とをＥｘｉｆ規格に準拠した形式で付帯させ、本体ユニット側で、この所定の情報領域に本体ユニットの撮影情報を記憶することができるため、撮影に伴う全ての撮影情報を提供することが可能となる。【００８５】
本実施例における記述は、本発明に係る撮像装置の一例を示すものであり、これに限定されるものではない。本実施例における携帯電話機１０の細部構成及び詳細動作に関しては、本発明の趣旨を逸脱しない範囲で適宜変更可能である。【００８６】
例えば、本発明の撮像装置を備えた装置として、カメラ機能を有した撮像装置付き携帯電話機１０を用いて説明したが、これに限らず、デジタルカメラやカメラ機能を有したＰＤＡ等であってもよい。
【産業上の利用の可能性】
【００８７】
本発明の構成１によれば、カメラモジュールと本体ユニットとの相互間において、撮影手段による撮影に伴う撮影情報を相互に転送し、画像データの処理を行うように構成している。このことにより、カメラモジュールと本体ユニットとで撮影情報が分散して存在しているような場合であっても、撮影に伴う全ての撮影情報を提供することが可能となる。
【００８８】
本発明に構成２によれば、第１の制御手段は、撮影手段による撮影で取得された画像データと当該撮影に伴うカメラモジュールの撮影情報とを本体ユニットに出力し、第２の制御手段は、画像データにカメラモジュール撮影情報と撮影に伴う本体ユニットの撮影情報とを所定の形式で付帯させて記憶手段に記憶させる。このことにより、カメラモジュールと本体ユニットとで撮影情報が分散して存在しているような場合であっても、カメラモジュール側から、カメラモジュールの撮影情報を画像データとともに本体ユニットに出力し、この出力された画像データにカメラモジュール撮影情報と本体ユニットの撮影情報とを所定の形式で付帯させて記憶を行うため、撮影に伴う全ての撮影情報を提供することが可能となる。
【００８９】
本発明の構成３によれば、所定の形式をＥｘｉｆ規格に準拠した形式としている。このことにより、撮影された画像データは、Ｅｘｉｆ規格に準拠した形式の画像データとなるため多くの画像閲覧ソフト等で利用することが可能となり、画像データの汎用性を高めることができる。
【００９０】
本発明の構成４によれば、第２の制御手段は、本体ユニットの撮影情報をカメラモジュールに出力し、第１の制御手段は、撮影手段による撮影で取得された画像データに、前記出力された本体ユニット撮影情報と当該撮影に伴うカメラモジュールの撮影情報とを付帯させて前記本体ユニットに出力し、前記第２の制御手段は、前記出力された画像データを記憶手段に記憶させる。このことにより、カメラモジュールと本体ユニットとで撮影情報が分散して存在しているような場合であっても、本体ユニットの撮影情報をカメラモジュールに出力して、カメラモジュール側で、この出力された本体ユニット撮影情報をカメラモジュールの撮影情報とともに画像データに所定の形式で付帯させ、この画像データを本体ユニットが記憶することができるため、撮影に伴う全ての撮影情報を提供することが可能となる。
【００９１】
本発明の構成５によれば、第２の制御手段は、撮影に伴って変動しない固定的な本体ユニット撮影情報を予め前記カメラモジュールに出力し、撮影に伴って変動する動的な本体ユニット撮影情報を撮影手段による撮影時にカメラモジュールに出力する。このことにより、撮影に伴って変動する動的な本体ユニット撮影情報を撮影時毎にカメラモジュールに出力することができるため、本体ユニットの撮影時の撮影情報を画像データに付帯させることができる。
【００９２】
本発明の構成６によれば、所定の形式をＥｘｉｆ規格に準拠した形式としている。このことにより、撮影された画像データは、Ｅｘｉｆ規格に準拠した形式の画像データとなるため多くの画像閲覧ソフト等で利用することが可能となり、画像データの汎用性を高めることができる。
【００９３】
本発明の構成７によれば、第１の制御手段は、撮影手段による撮影で取得された画像データに、当該撮影に伴うカメラモジュールの撮影情報と前記本体ユニットの撮影情報を記憶するために確保した所定の情報領域とを所定の形式で付帯させて前記本体ユニットに出力し、第２の制御手段は、出力された画像データを記憶手段に記憶させるとともに当該画像データに付帯された所定の情報領域に当該撮影に伴う本体ユニットの撮影情報を記憶させる。このことにより、カメラモジュールと本体ユニットとで撮影情報が分散して存在しているような場合であっても、カメラモジュールの撮影情報と前記本体ユニットの撮影情報を記憶するために確保した所定の情報領域とを所定の形式で付帯させ、本体ユニット側で、この所定の情報領域に本体ユニットの撮影情報を記憶することができるため、撮影に伴う全ての撮影情報を提供することが可能となる。
【００９４】
本発明の構成８によれば、所定の形式をＥｘｉｆ規格に準拠した形式としている。このことにより、撮影された画像データは、Ｅｘｉｆ規格に準拠した形式の画像データとなるため多くの画像閲覧ソフト等で利用することが可能となり、画像データの汎用性を高めることができる。
【図１】
2005125182.tif 000002
【図２】
2005125182.tif 000003
【図３】
2005125182.tif 000004
【図４】
2005125182.tif 000005
【図５】
2005125182.tif 000006
【図６】
2005125182.tif 000007
【国際調査報告】
2005125182.tif 000008
2005125182.tif 000009